【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
アンテナアセンブリであって、
第１のグランドプレーンと、
接地状態と非接地状態との間で切り替えられるように構成された第２のグランドプレーンと、
第１のアンテナ層および第２のアンテナ層であって、前記第１のアンテナ層および前記第２のアンテナ層の各々は、複数の第１の位相変化材料（ＰＣＭ）スイッチを含み、前記複数の第１の位相変化材料（ＰＣＭ）スイッチは、前記第１のアンテナ層および前記第２のアンテナ層内で複数のアンテナパターンを提供するよう、選択的に切り替えられるように構成される、第１のアンテナ層および第２のアンテナ層と、
を備える、アンテナアセンブリ。
【請求項２】
前記複数の第１の位相変化材料（ＰＣＭ）スイッチは、複数のアンテナ特性を提供するよう、選択的に切り替えられるように構成される、請求項１に記載のアンテナアセンブリ。
【請求項３】
前記第２のグランドプレーンは、複数の第２の位相変化材料（ＰＣＭ）スイッチによって相互接続された複数のプレートを含み、
前記複数の第２の位相変化材料（ＰＣＭ）スイッチは、前記第２のグランドプレーンを前記接地状態と前記非接地状態との間で切り替えるために選択的にアクティブおよび非アクティブにされる、請求項１に記載のアンテナアセンブリ。
【請求項４】
前記第１のグランドプレーンを前記第２のグランドプレーンと前記第１のアンテナ層および前記第２のアンテナ層とに接続する複数の制御線をさらに備える、請求項１に記載のアンテナアセンブリ。
【請求項５】
前記複数の第１の位相変化材料（ＰＣＭ）スイッチは、前記複数の制御線に接続する、請求項４に記載のアンテナアセンブリ。
【請求項６】
前記第１のグランドプレーンに搭載されたフィードポストをさらに備え、
前記第２のグランドプレーンは、前記フィードポストの一部に固定される、請求項１に記載のアンテナアセンブリ。
【請求項７】
前記フィードポストは、前記第１のアンテナ層および前記第２のアンテナ層に接続する１つ以上の導体を備える、請求項６に記載のアンテナアセンブリ。
【請求項８】
前記第１のアンテナ層に接続された第１の制御グリッドと、
前記第２のアンテナ層に接続された第２の制御グリッドと、
をさらに備え、
前記第１の制御グリッド及び前記第２の制御グリッドの各々は、前記複数の第１の位相変化材料（ＰＣＭ）スイッチのそれぞれの１つに動作可能に接続する複数の交点でトレースの第２のセットと交差するトレースの第１のセットを備え、
前記複数の交点の各々は、前記複数の第１の位相変化材料（ＰＣＭ）スイッチの各々を位相間で切り替えるよう、通電されるように構成される、請求項１に記載のアンテナアセンブリ。
【請求項９】
前記第１の制御グリッド及び前記第２の制御グリッドは、周波数選択的であるように構成される、請求項８に記載のアンテナアセンブリ。
【請求項１０】
前記第１の制御グリッド及び前記第２の制御グリッドの各々は、サブ波長間隔でインサートされた１つ以上のインダクタをさらに備える、請求項８に記載のアンテナアセンブリ。
【請求項１１】
前記複数の第１の位相変化材料（ＰＣＭ）スイッチの各々は、第１の位相と第２の位相とを有する一テルル化ゲルマニウム（ＧｅＴｅ）で形成され、前記第１の位相及び前記第２の位相の一方は導電であり、前記第１の位相及び前記第２の位相のもう一方は、非導電である、請求項１に記載のアンテナアセンブリ。
【請求項１２】
アンテナアセンブリであって、
少なくとも１つのアンテナ層を含むアンテナアレイであって、前記少なくとも１つのアンテナ層が、複数の第１の位相変化材料（ＰＣＭ）スイッチを含み、前記複数の第１の位相変化材料（ＰＣＭ）スイッチは、複数のアンテナ特性を提供するために前記アンテナアレイ内で複数のアンテナパターンを提供するよう、選択的に切り替えられるように構成される、アンテナアレイと、
前記少なくとも１つのアンテナ層に接続された少なくとも１つの制御グリッドであって、前記制御グリッドが、前記複数の第１の位相変化材料（ＰＣＭ）スイッチの各々の１つに動作可能に接続する複数の交点でトレースの第２のセットと交差するトレースの第１のセットを備え、前記複数の交点の各々は、前記複数の第１のＰＣＭスイッチの各々を位相間で切り換えるように通電されるために構成される、少なくとも１つの制御グリッドと、
を備える、アンテナアセンブリ。
【請求項１３】
少なくとも１つのアンテナ層は、少なくとも２つのアンテナ層を含む、請求項１２に記載のアンテナアセンブリ。
【請求項１４】
接地状態と非接地状態との間で切り替えられるように構成されたスイッチドグランドプレーンさらに備える、請求項１２に記載のアンテナアセンブリ。
【請求項１５】
前記スイッチドグランドプレーンは、複数の第２の位相変化材料（ＰＣＭ）スイッチによって相互接続された複数のプレートを含み、前記複数の第２の位相変化材料（ＰＣＭ）スイッチは、前記第２のプレーンを接地状態と非接地状態との間で切り替えるために選択的にアクティブおよび非アクティブにされる、請求項１４に記載のアンテナアセンブリ。
【請求項１６】
前記アンテナアレイに接続する複数の制御線をさらに備える、請求項１２に記載のアンテナアセンブリ。
【請求項１７】
前記制御グリッドが周波数選択的であるように構成され、サブ波長間隔でインサートされた１つ以上のインダクタをさらに備える、請求項１２に記載のアンテナアセンブリ。
【請求項１８】
前記複数の第１のＰＣＭスイッチの各々は、第１の位相と第２の位相とを有する一テルル化ゲルマニウム（ＧｅＴｅ）で形成され、第１の位相と第２の位相の一方は導電であり、第１の位相と第２の位相のもう一方は、非導電である、請求項１２に記載のアンテナアセンブリ。
【請求項１９】
アンテナ単位セルアレイアセンブリであって、
第１のグランドプレーンと、
接地状態と非接地状態との間で切り替えられるように構成された第２のグランドプレーンであって、前記第２のグランドプレーンは、複数の第１の位相変化材料（ＰＣＭ）スイッチによって相互接続された複数のプレートを含み、前記複数の第１の位相変化材料（ＰＣＭ）スイッチは、第２のグランドプレーンを接地状態と非接地状態との間で切り換えるために選択的にアクティブおよび非アクティブにされる、第２のグランドプレーンと、
第１のアンテナ層と第２のアンテナ層とを備えるアンテナアレイであって、前記第１のアンテナ層と前記第２のアンテナ層の各々は、複数の第２の位相変化材料（ＰＣＭ）スイッチを含み、前記複数の第２の位相変化材料（ＰＣＭ）スイッチは、複数のアンテナ特性を提供するために前記第１のアンテナ層および前記第２のアンテナ層内で複数のアンテナパターンを提供するよう、第１の位相と第２の位相との間で選択的に切り替えられるように構成され、前記第１の位相と前記第２の位相の一方は、導電であり、前記第１の位相と前記第２の位相のもう一方は、非導電である、アンテナアレイと、
前記第１のアンテナ層および前記第２のアンテナ層にそれぞれ接続された第１の制御グリッドおよび第２の制御グリッドであって、前記第１の制御グリッドおよび前記第２の制御グリッドの各々は、前記複数の第２の位相変化材料（ＰＣＭ）スイッチのそれぞれの１つに動作可能に接続する複数の交点でトレースの第２のセットと交差するトレースの第１のセットを備え、前記複数の交点の各々は、前記複数の第２の位相変化材料（ＰＣＭ）スイッチの各々を切り替えるよう、通電されるように構成され、前記第１の制御グリッドおよび前記第２の制御グリッドは、周波数選択的であるように構成され、前記第１の制御グリッドおよび前記第２の制御グリッドの各々はさらに、サブ波長間隔でインサートされた１つ以上のインダクタを備える、第１の制御グリッドおよび第２の制御グリッドと、
前記第１のグランドプレーンに搭載されたフィードポストであって、前記第２のグランドプレーンが前記フィードポストの一部に固定され、前記第１のアンテナ層および前記第２のアンテナ層に接続する１つ以上の導体を備える、フィードポストと、
前記第１のグランドプレーンを前記第２のグランドプレーンと前記アンテナアレイとに接続する複数の制御線であって、前記複数の第１の位相変化材料（ＰＣＭ）スイッチが前記複数の制御線に接続する、複数の制御線と、
を備える、アンテナ単位セルフェーズドアレイアセンブリ。